(57)【要約】      （修正有）【課題】    道路標識は、標識板を支えるアーム上等、標識板裏側に雪が積もり、それが雪氷塊となって落下し、通行中の車両を直撃する危険性があり、冬期における道路管理上の課題となっている。【解決手段】  標識板裏側のアーム等への着雪を防止する方策として、標識板の上端部にシート巻き上げ装置５を、標識板の下端部にシート固定レバー７をそれぞれ取付け、上段アーム２にアームオフセット金具６を固定し、標識板の裏面部全体を覆うシートを装着する装置で構成される標識板裏着雪防止シートである。  標識板裏着雪防止シートは冬期の対策であるところから、着雪防止シートの耐久性を確保するとともに、道路環境に適応した景観等に対応するため、夏期間においては、シート巻き上げ装置５により、シートを巻き上げた状態とする。【選択図】        図１
2006144521.tif 000002
【特許請求の範囲】
【請求項１】
道路上空に設置れた標識板裏側のアーム（支柱）上への着雪を防止するため、標識板の上端部にシート巻き上げ装置を、標識板の下端部にシート固定レバーをそれぞれ取付け、標識板の裏面側をテントで覆うもので、夏期間はシート巻き上げ装置によりシートを巻き上げた状態で固定することを特徴とする標識板裏着雪防止シートである。
【請求項２】
シート巻き上げ装置及びシート固定レバーは、標識板裏の補強金具（リブ）を活用して取付ける。
テント巻き上げ装置の軸にポリプロピレンチューブを取りつけてシート上端部を固着して巻き取り、シート下端部は折り返し加工とし、シート固定レバーに容易に装着できるようにワンタッチフックを取りつける。
シートが上段アーム、下段アーム及び突起部のある固定金具に触れて損傷することを防止するため、アームオフセット金具を上段アームに固定する。
【請求項３】
シートを装着する場合は、シート巻き上げ装置のハンドルンを外し、シートを標識下端部まで引き下ろし、シート固定レバーに取付け、シート巻き上げ装置とシート固定レバー間に張られたシートの緩みを少なくするため、巻き上げ装置に逆回転防止機能を付加する。
一方、装着したテントを巻き上げる場合は、シート巻き上げ装置軸にハンドルを取付け、ハンドルを手動で回転させてシートを標識上端部まで巻き上げ、巻き上げたシートがほぐれないようにひもで固定する。
【発明の詳細な説明】
【技術分野】
【０００１】  この発明は、標識板裏面のアーム等の着雪を防止するため、標識板の裏面部を覆う着雪防止シートに関するものである。
【背景技術】
【０００２】  車道上空に設置する大型道路標識は、標識本車道上に張り出すアーム（支柱）に標識板が取り付けられているが、冬期間はアーム上の着雪が雪氷塊となって落下し、通行中の車両を直撃する危険性が極めて高い。
これらの危険性を排除するため、道路管理者は、標識板裏面部の着雪状況を点検し、手作業で除去しているが、大雪や地域的な地吹雪による標識板裏の着雪には、的確に対応できない場合があり、冬期における道路管理上の課題となっている。
【発明の開示】
【発明が解決しようとする課題】
【０００３】  本発明は、標識板を支えるアーム、取付金具等への着雪を防止するための装置について研究を重ねた。
【課題を解決するための手段】
【０００４】  標識板の裏側には、標識板を取付ける２本のアーム（直径２６７ｍｍ）と取付金具のほか、標識板の補強金具（リブ）があり、標識板は視認性を良くし、表面に着雪しないように道路に対して垂直より３〜５度下向きに取付けられているため、標識板の裏面全体が着雪しやすい構造となっているところから、標識板裏への着雪を防止するためには、標識板の裏側部をシートで覆うことが最も効果的な方法であることが判明した。
なお、標識板裏の着雪防止シートの装着は、冬期間に限定した対策であるが、標識板を覆うシートの耐久性を確保するとともに、夏期間における景観等に配慮し、比較的簡易な作業によりシートを巻き取る方式により収納することとした。
【発明の効果】
【０００５】  本発明は、上述のとおり構成されており、次の効果がある。
１  降雪等に伴う点検や徐雪作業の労力、経費を節減し、交通の安全と円滑を確保することができる。
２  新設の標識板だけでなく、既設の標識板にも取付けが可能である。
３  部品の点数が少なく、標識板の規格に応じた製作が可能である。
４  シートの巻き上げ（収納）作業が比較的簡便であり、シートの保管業務が不要である。
【発明を実施するための最良の状態】
【０００６】  以下、本発明の実施例について説明する。
シート巻き上げ装置にシートの上端部を取付けて巻き上げた状態で、巻き上げ装置軸固定アングルで標識板上端部に、シート固定レバーをアルミＴ型アングルで標識板下端部にそれぞれ固定するとともに、上段アームオフセットを上段アームに取付ける。
シート巻き上げ装置の逆回転防止レバーを外し、シートを標識板下端まで引き下ろしてシート固定レバーにフックで取付け、シートの緩みをなくするためシート巻き上げ装置の巻き上げハンドルで巻き上げながら調整し、逆回転防止レバーで固定する。
夏期間にシートを巻き上げる場合は、シート固定レバーからシートのフックを外し、巻き上げハンドルを回転させてシートを巻き上げ、固定ひもで固定する。
【図面の簡単な説明】
【０００７】
【図１】  本発明の斜視図である。
【図２】  部品図
【符号の説明】
【０００８】  １  標識本柱
２  上段アーム（支柱）
３  下段アーム（支柱）
４  ラチス（指示材）
５  シート巻き上げ装置
６  アームオフセット金具
７  シート固定レバー
８  巻き上げ軸固定アングル
９  アルミＴ型アングル
１０  シート
【図１】
2006144521.tif 000003
【図２】
2006144521.tif 000004
2006144521.tif 000005
2006144521.tif 000006
【手続補正書】
【提出日】平成17年3月18日(2005.3.18)
【手続補正３】
【補正対象書類名】明細書
【補正対象項目名】０００７
【補正方法】変更
【補正の内容】
【０００７】
【図１】本発明の斜視図  上図は、標識板裏面の斜視図で、上図はシートを巻き上げた状態（夏期間）であり、シート巻き上げ装置、アームオフセット金具、シート固定レバー、巻き上げ軸固定アングル及びアルミＴ型アングルの取付位置を明示した斜視図である。  下図は、標識板裏面にシートを装着した状態の斜視図である。
【図２】部品図  シート巻き上げ装置は、シート上端部をシート巻き上げ軸に固着し、巻き上げ金具を手動レバーの操作により、巻き取り又は巻き戻しの機能を有する装置である。  アームオフセット金具は、シート装着時にシートがアーム及び突起金具に接触して損傷を防止するため、上段アームに固定する。  シート固定レバーは、シート下端部のシート内包部に取り付けたフックで固定する。  シートは、上端部をシート巻き取り軸に固着し、下端部をシート内包パイプ及びフックを取り付けるため、それぞれ加工部分を設ける。
【図３】標識板裏防雪シート各部品詳細図  標識板裏図は、標識板の裏面を補強する補強材（リブ）に、巻き上げ軸固定アングル、上段金具オフセット金具、アルミＴ型アングル、アームオフセット金具及びシート固定レバーの取付位置を明示した図面である。  標識板側面図は、シートを装着した状態を側面（道路中央側）から見た側面図である。  巻き上げ金具図は、巻き上げ固定アングル、アルミＴ型アングル、シート固定レバー及びシート内包パイプを分解した詳細図である。、  シート固定フック図は、シート内包パイプに取り付けるフック図である。  アームオフセット図は、上段アームに取り付ける部品の詳細図である。
【図４】シート・芯材詳細図  シート図は、上部加工部と下部加工部を折り返し加工する平面図てある。  芯材図は、上部巻き上げ軸の側面図及びシート下部に内包する芯材の詳細図である。
【手続補正４】
【補正対象書類名】図面
【補正対象項目名】全図
【補正方法】変更
【補正の内容】
【図１】
2006144521.tif 000007
【図２】
2006144521.tif 000008
【図３】
2006144521.tif 000009
【図４】
2006144521.tif 000010